(57)【要約】      （修正有）【課題】皮膚の火傷などの障害を全く起こさないで、熟練を要せずマッサージ効果を併用しつつ、安全で効率のよい温熱施療効果を実現する高周波温熱施療器を提供する。【解決手段】人体皮膚表面の２箇所に密接させる活性化電極２および帰還電極と、両電極間の人体組織に両電極を通じて高周波電力を供給してその人体組織を暖める高周波温熱施療器とから成り、前記活性化電極２には一乃至複数の回転電極２１を軸承配備させるとともに、当該一乃至複数の回転電極２１には人体皮膚表面に対し局所的接触が生じないよう個数と形態を総合的に選定して上記高周波電力に適合する広い人体接触面積を保有させ、所要に応じそれらの回転電極２１の各軸受け２４に進退バネ構造を組み合わせ、また、所要により複数の回転電極２１を導電性材料から成るキャタピラー状ベルトで連結して、該ベルトが形成する面全体を電極にする。【選択図】図１
2007289562.tif 000002
【特許請求の範囲】
【請求項１】
人体皮膚表面の２箇所に密接させる活性化電極および帰還電極と、両電極間の人体組織に両電極を通じて高周波電力を供給してその人体組織を暖める高周波温熱施療器とから成り、前記活性化電極には一乃至複数の回転電極を軸承配備させるとともに、当該一乃至複数の回転電極には人体皮膚表面に対し局所的接触が生じないよう個数と形態を総合的に選定して上記高周波電力に適合する広い人体接触面積を保有させたことを特徴とする高周波温熱施療装置。
【請求項２】
上記回転電極がローラー状電極である請求項１記載の高周波温熱施療装置。
【請求項３】
上記回転電極が複数の算盤珠状電極である請求項１記載の高周波温熱施療装置。
【請求項４】
複数の上記回転電極が導電性材料から成るキャタピラー状ベルトにて連結され、該ベルトが形成する面全体を電極とする請求項１記載の高周波温熱施療装置。
【請求項５】
上記回転電極の各軸受けに進退バネ構造が組み合わされた請求項１、請求項２、請求項３または請求項４記載の高周波温熱施療装置。
【請求項６】
前記活性化電極には人体皮膚表面に対する所定の押圧力以下でインターロック信号を発信する圧力センサーを装備させて、そのインターロック信号により前記高周波温熱施療器の出力をインターロック保護するよう構成して成る請求項１、請求項２、請求項３、請求項４または請求項５記載の高周波温熱施療装置。
【請求項７】
前記活性化電極の取手に握力感応手段乃至手動手段で操作する入力調節器を装備させて、該入力調節器により前記高周波温熱施療器の出力レベルを調整するよう構成して成る請求項１、請求項２、請求項３、請求項４、請求項５または請求項６記載の高周波温熱施療装置。
【請求項８】
前記高周波温熱施療器の出力レベルを調整する施術者にその出力レベルに比例した音声を当該高周波温熱施療器より出力モニター用音声イヤホーンを介してフィードバックさせるよう構成して成る請求項７記載の高周波温熱施療装置。
【請求項９】
前記高周波温熱施療器には人体に当接した前記活性化電極から人体へと供給される高周波出力の初期値を緩和させるスローアップ手段を講じるとともに、その活性化電極が人体から離間したときに前記帰還電極との間で生じるインピーダンスの上昇を上記高周波出力の電圧値と電流値から検出して該検出に基づき上記高周波出力を自動的に遮断する開放時シャットダウン手段を講じて成る請求項１、請求項２、請求項３、請求項４または請求項５記載の高周波温熱施療装置。
【請求項１０】
前記高周波温熱施療器には高周波出力のパワー設定手段を講じる他にその高周波出力を人体使用部位のインピーダンスに対応させてマッチング切換えする整合器を装備させて成る請求項１、請求項２、請求項３、請求項４、請求項５または請求項９記載の高周波温熱施療装置。
【請求項１１】
前記高周波温熱施療器には上記整合器を手動的に切り換える手動マッチング切換手段を講じ、また、前記活性化電極と前記帰還電極との間に存する人体箇所のインピーダンスを上記高周波出力の電圧値と電流値から検出して該検出に基づき上記整合器を自動的に切り換える自動マッチング切換手段を講じるとともに、上記高周波出力をパワー設定手段の設定値に適合させるフィードバック制御手段を講じて成る請求項１０記載の高周波温熱施療装置。
【請求項１２】
前記高周波温熱施療器の操作手段としてモニター付きの無線リモートコントロール手段を講じて成る請求項１、請求項２、請求項３、請求項４、請求項５、請求項９、請求項１０または請求項１１記載の高周波温熱施療装置。
【発明の詳細な説明】
【技術分野】
【０００１】
本発明は、美容乃至治療に供する高周波施療装置であって、人体皮膚表面の２箇所に密接させた電極間に高周波電圧を印加して人体組織に高周波電流を流すことによりその部分を暖め、その結果、毛細血管の血行を促進し、組織の疲労・損傷からの回復を助ける温熱施療装置に関する。
【背景技術】
【０００２】
高周波電流を人体内部に流すことによって局所的に体内を暖め、血行をよくして組織の疲労・損傷の回復を図ることはすでに実用的な手法として確立している（特許文献１）。電極としては、従来、身体の下に敷く背中大の固定式薄板状電極（帰還電極）と、施術者が保持し皮膚表面に沿って動かす単一の円盤状平板電極または棒状電極（活性化電極）との組み合わせが用いられており、施術者は導電性ジェルを皮膚表面に塗り、その上に活性化電極を密着させつつその位置を動かすとともに表面上の滞在時間を調節し、身体内部の暖めるべき箇所のみを選択的に暖め、その温度を調節する（特許文献２、特許文献３）。
【０００３】
しかし、用いられている活性化電極は、そのような平板状のものであっても多様な凹凸曲面を形成する人体各所の表面に密着させることは原理的に不可能であり、しばしば皮膚表面との接触は点接触的で局所的になる。また、平板電極は皮膚表面で電極表面を傾けると端のみが接触する。そのために人体への高周波電流はそのわずかな接触点を介して皮膚内部へと集中して流れることになり、皮膚表面近傍に局所的な大きな発熱を誘起して、被施術者に痛みを感じさせるだけでなく、高周波の出力を減少させずにそのまま放置すれば人体に火傷等の損傷を与える危険性がある。
【０００４】
したがって、施術者は活性化電極を皮膚に密着させたまま皮膚表面に沿い常に動かして皮膚表面を掃引し続ける必要がある。また、接触電気抵抗を低減させるために活性化電極と皮膚表面との間に導電性ジェルを塗布していても移動するときに発生する摩擦力は無視できず、施術者に多大な労力と熟練を要する。
【０００５】
一方、高周波温熱施療はマッサージを併用することで効果がより顕著になるため、活性化電極を適度な力で皮膚に押し当てることによりマッサージ効果を与えることが望ましい。しかしながら、前記摩擦力に労力をとられることから必要な押圧力が与えられず、マッサージ効果を十分に併用できないのが実情である。
【０００６】
さらに、体内にて得られる温度分布は人体箇所の厚さ並びに電気抵抗によって変化する高周波入力量（電力）と電極の滞在時間で決まるため、常に適切な温度分布を得るには人体箇所によって高周波入力量（電力）を調節する必要がある。しかしながら、従来の機器は施術者が保持する電極の手元乃至その近傍で容易に制御できる構造となっておらず、また、人体のいずれの箇所にも一様に所要高周波入力量（電力）を供給できる構造ともなっていない。
【特許文献１】実開平１−１５５４５４号公報
【特許文献２】特開平８-５２２２７号公報
【特許文献３】特開２００３-１４４５５５号公報
【発明の開示】
【発明が解決しようとする課題】
【０００７】
本発明は、それらの問題点を解決しようとするものであり、皮膚の火傷などの障害を全く起こさせないで温熱施療でき、施術者に多大な労力と熟練を要せず、そして、マッサージ効果を併用しつつ効率のよい温熱施療効果を安全に容易に的確に実現できるようにすることにある。
【課題を解決するための手段】
【０００８】
本発明は、人体皮膚表面の２箇所に密接させる活性化電極および帰還電極と、両電極間の人体組織に両電極を通じて高周波電力を供給してその人体組織を暖める高周波温熱施療器とから成り、前記活性化電極には一乃至複数の回転電極を軸承配備させるとともに、当該一乃至複数の回転電極には人体皮膚表面に対し局所的接触が生じないよう個数と形態を総合的に選定して上記高周波電力に適合する広い人体接触面積を保有させたことを特徴とする。
【０００９】
また、前記活性化電極には人体皮膚表面に対する所定の押圧力以下でインターロック信号を発信する圧力センサーを装備させて、そのインターロック信号により前記高周波温熱施療器の出力をインターロック保護するよう構成し、前記活性化電極の取手に握力感応手段乃至手動手段で操作する入力調節器を装備させて、該入力調節器により前記高周波温熱施療器の出力レベルを調整するよう構成し、前記高周波温熱施療器の出力レベルを調整する施術者にその出力レベルに比例した音声を当該高周波温熱施療器より出力モニター用音声イヤホーンを介してフィードバックさせるよう構成する。
【００１０】
あるいはまた、前記高周波温熱施療器には、人体に当接した前記活性化電極から人体へと供給される高周波出力の初期値を緩和させるスローアップ手段を講じるとともに、その活性化電極が人体から離間したときに前記帰還電極との間で生じるインピーダンスの上昇を上記高周波出力の電圧値と電流値から検出して該検出に基づき上記高周波出力を自動的に遮断する開放時シャットダウン手段を講じる。
【００１１】
加えて、前記高周波温熱施療器には、出力する高周波電力のパワー設定手段を講じる他に、その高周波出力を人体使用部位のインピーダンスに対応させてマッチング切換えする整合器を装備させる。そして、その高周波温熱施療器には、上記整合器を手動的に切り換える手動マッチング切換手段を講じ、また、前記活性化電極と前記帰還電極との間に存する人体箇所のインピーダンスを上記高周波出力の電圧値と電流値から検出して該検出に基づき上記整合器を自動的に切り換える自動マッチング切換手段を講じるとともに、上記高周波出力をパワー設定手段の設定値に適合させるフィードバック制御手段を講じる。
【００１２】
さらには、前記高周波温熱施療器の操作手段としてモニター付きの無線リモートコントロール手段を講じる。
【発明の効果】
【００１３】
本発明によれば、上述の課題を解決できて、皮膚の火傷などの障害を全く起こさないで施療でき、施術者に多大な労力と熟練を要せず、マッサージ効果を併用しつつ効率よく安全に容易に的確に温熱施療できる優れた高周波温熱施療装置を提供することができる。
【発明を実施するための最良の形態】
【００１４】
上記回転電極としては、一乃至複数の長円筒型ローラー状電極、短円筒型ローラー状電極、ビヤ樽型ローラー状電極、球型ローラー状電極、複数の算盤珠状電極、複数の上記回転電極が導電性材料から成るキャタピラー状ベルトにて連結されて該ベルトが形成する面全体を電極とするもの等を用い、治療か美容かの使用目的や人体の使用部位等に応じて適宜に選択して使用できるようにする。上記回転電極には所要に応じて各軸受けに進退バネ構造を組み合わせ、また、上記モニター付き無線リモートコントロール手段にはタッチパネル方式を用いる。
【実施例１】
【００１５】
図７の電気回路ブロック図に示すように、本発明の実施例に係る高周波温熱施療装置は、人体Ａに適する一定周波数の高周波電力を出力する高周波温熱施療器１と、該高周波温熱施療器１の出力端ａ，ｂに各々給電ケーブルを介して接続して人体皮膚表面に２箇所にて密接させる活性化電極２と帰還電極３とから成り、一方の活性化電極２は一乃至複数の回転電極２１から成り、他方の帰還電極３は単一の平板電極３１から成る。而して、帰還電極３を伏臥乃至仰臥する人体Ａの下に敷き込ませるとともに、その人体Ａの上面に導電性ジェルを塗布して活性化電極２を押し当てつつ移動、掃引させ、かつ、高周波温熱施療器１から両電極間に高周波電圧を印加して高周波電流を流すことにより人体Ａの組織を部分的に暖める。ただし、顔面に使用する場合は活性化電極２だけでなく帰還電極３も顔面に当接させるが、この点については後述する。なお、平板電極３１は可撓性のものでもよい。
【００１６】
活性化電極２は、図１乃至図５に示すように、取手２３を突設したキャリア２２に金属性の複数の回転電極２１を並べ組み合わせて配するか、または、図６に示すように一個だけを配して、軸受け２４により適宜に軸承一体化させる。各回転電極２１には取手２３より引き出した給電ケーブル４を介して高周波温熱施療器１からの所要の高周波出力を供給する。なお、取手２３若しくは取手２３乃至キャリア２２は合成樹脂等の電気絶縁材から形成するとよい。給電ケーブル４の端部と各回転電極２１との間の電気的接続には、例えば、給電ケーブル４の端部を軸受け２４に結線するとか、給電ケーブル４の端部を一旦通電ブラシ等に結線して該ブラシ等を回転電極２１に接触させるとかすればよい。
【００１７】
これらの回転電極２１は、例えば、図１に示す複数の長円筒型ローラー状電極２５に、図２に示す複数の短円筒型ローラー状電極２６に、図３に示す複数の算盤珠状電極２７に、図５に示す複数のビヤ樽型ローラー状電極２８に、あるいは、図６に示す単数の球型ローラー電極２９等にする。また、図４に示すように、複数の回転電極２１を導電性材料から成るキャタピラー状ベルト２１１にて連結して該ベルトが形成する面全体を電極にする。
【００１８】
これらの電極によれば皮膚表面上の移動に摩擦力が少なく、その移動、掃引は軽快にかつ容易に行えて施術者に多大な労力と熟練を要せず、しかも、局所的な高周波電流の集中を防ぎつつ形態に応じた押圧力を人体に与えることができて、それぞれに特長を有する良好な温熱施療効果およびマッサージ効果が得られる。特に図３に示す算盤珠状電極２７では一つの軸に多くの回転電極２１を密に配列するので、全体的に回転させ易く、人体に押し付けたときにそれらの電極のエッジにより皮膚表面に力学的応力集中が生じてマッサージ効果が高まる。勿論、算盤珠状電極２７であっても上述の複数の配列で全体的には高周波電流を分散させることができるから、皮膚表面近傍に局所的な大きな発熱を誘起して被施術者に痛みを感じさせることも人体に火傷等の損傷を与える危険性もない。
【００１９】
また、図６に示す単数の球型ローラー電極２９は、特に顔面等への使用に優れており、美容用等に適している。顔面の場合には帰還電極３も顔面の別の箇所に押し当てることとなるので、この帰還電極３の平板電極３１は小さくてよいが、その押し当て状態の維持のためには手で押さえる把持部を設けるとよい。単数の球型ローラー電極２９の他の一つを帰還電極３に利用してもよい。
【００２０】
それらの活性化電極２には、所要に応じて回転電極２１の各軸受け２４に進退バネ構造２４１を組み合わせる。これによって回転電極２１は皮膚との密着性を常に保証できるものとなる。
【実施例２】
【００２１】
実施例１にあって、図１（１）に示すように、回転電極２１の軸受け２４には人体皮膚表面に対する所定の押圧力以下でインターロック信号を発信する圧力センサー５を装備させており、一方、図７に示すように、高周波温熱施療器１には一定の周波数で発振する高周波発生源１１、該高周波発生源１１で発生した高周波電力を所要の高周波電圧・高周波電流として回転電極２１と帰還電極３との間に供給する出力調整部１２、並びに、圧力センサー５からの上記インターロック信号により出力調整部１２を介して高周波発生源１１を停止させるインターロック制御回路１３を設けている。これにより回転電極２１が所定の押圧力で適正に人体皮膚表面に押圧されていないときや緊急時に回転電極２１へと供給される高周波出力を自動的に遮断できて安全性を確保できる。
【実施例３】
【００２２】
実施例１、実施例２にあって、図２、図４に示すように、活性化電極２の取手２３には握力感応手段乃至手動手段で操作する入力調節器６を装備させ、該入力調節器６により前述の給電ケーブル４に添えた配線を介して図７に示す出力調整部１２を電気的に制御して高周波温熱施療器１からの高周波出力の出力レベルを調整するよう構成するとともに、その高周波温熱施療器１の出力レベルを調整する施術者にその出力レベルに比例した音声（音量）を図７に示す出力モニター用音声イヤホーン７を介してフィードバックさせるよう構成している。これにより、施術者は、最初に手動で出力調整部１２を調整して出力レベルの初期設定を行った後、活性化電極２に一体化された入力調節器６により高周波温熱施療器１を遠隔操作でき、しかも、その際には調整状況を出力モニター用音声イヤホーン７からの音声（音量）で確認しつつ行える。したがって、施術者は活性化電極２を保持する取手２３の手元で最適な高周波温熱施療器１の出力レベルの調整を敏速に容易にかつ的確に行うことができ、このようにしてその出力レベルを適正に保つことによって効率のよい温熱施療効果を生み出すことができる。
【実施例４】
【００２３】
図８の電気回路ブロック図は、高周波温熱施療器１における電気回路の他の例を示すものであり、図９の電気回路ブロック図は、図８の要部をさらに詳細に示すものである。
【００２４】
図８に示す高周波温熱施療器１は出力端子ａ，ｂに給電ケーブル４ａ，４ｂを介して実施例１に示す活性化電極２と帰還電極３とを接続するが、その高周波温熱施療器１は、人体に適する一定周波数の高周波の発生手段を含むパワーアンプ９と、該パワーアンプ９の出力側に接続したマッチング切換器１４１付き整合器（マッチングトランス）１４と、該整合器１４の出力側にて上記出力端子ａ，ｂ以前に介在させた高周波電圧検知器１５および高周波電流検知器１６と、パワーアンプ９およびマッチング切換器１４１を制御するコントローラ８と、該コントローラ８に無線通信手段８９，１０１を以って相互に連ねたモニター付き無線リモートコントローラ１０とから成る。なお、モニター付き無線リモートコントローラ１０のモニターは音声モニターを含むものであってもよい。
【００２５】
コントローラ８は、図９に示すように、上記無線通信手段８９が電気的に付設された操作回路８１を備えており、該操作回路８１は、高周波温熱施療器１から出力される高周波電力の初期設定を行うパワー設定部８１１と、施療の開始・停止を行うスタート・ストップスイッチ８１２と、マニアルモード・オートモードのモード切換部８１３と、初期設定された上記高周波出力を背中、脚、足裏等の人体使用部位に適合させるべく整合器１４のマッチング切換器１４１を切り換えるマッチング設定部８１４とから成る。
【００２６】
コントローラ８は、また、図９に示すように、上記パワー設定部８１１により可変操作される可変入力回路８２すなわちパワーアンプ９に可変入力を供給する回路を備え、該可変入力回路８２の出力を上記スタート・ストップスイッチ８１２で制御されるオン・オフスイッチング回路８２１、可変入力回路８２の出力をゆっくり上昇させるスローアップ回路８３、上記モード切換部８１３にて切り換え操作されるパワー切換用の切換スイッチング回路８３１のマニアルモードルートを順次に介してパワーアンプ９に入力として供給するようにし、そして、整合器１４のマッチング切換器１４１を、上記モード切換部８１３にて切り換え操作されるマッチング切換用の切換スイッチング回路８５１のマニアルモードルートを介して上記マッチング設定部８１４により切り換えるようにしている。このようにして高周波温熱施療器１のパワー設定をする他にマッチング設定部８１４によって整合器１４のマッチング切換器１４１を切り換えるようにするのは、人体の背中、脚、足裏等の各箇所では電気的負荷としてのインピーダンスが異なるために高周波温熱施療器１の高周波出力を初期設定しただけでは人体使用部位によっては所要の高周波電力が供給されないで予定する温度にならない事態が生じるので、人体各箇所の各々の負荷インピーダンスに高周波出力を整合させる必要があるからである。
【００２７】
さらに、コントローラ８は、高周波電圧検知器１５からの検知電圧と高周波電流検知器１６からの検知電流を受けて割算して活性化電極２と帰還電極３との間のインピーダンスを算出するインピーダンス演算回路８５と、該インピーダンス演算回路８５の算出信号が所定値上に上昇したことで活性化電極２が人体から離間したことを検出する比較器８６とを設けて、該比較器８６の検出出力で上記オン・オフスイッチング回路８２１を自動的に遮断する開放時シャットダウン手段を講じ、かつ、整合器１４のマッチング切換器１４１をインピーダンス演算回路８５の分岐出力によりマッチング切換用の切換スイッチング回路８５１のオートモードルートを介して自動的に切り換える自動マッチング切換手段を講じるとともに、高周波電圧検知器１５からの検知電圧と高周波電流検知器１６からの検知電流を受けて掛算して活性化電極２と帰還電極３との間の人体箇所に供給されている高周波電力を算出するパワー演算回路８５と、該パワー演算回路８５からの算出出力をスローアップ回路８３よりの分岐出力から減算する減算器８８と、該減算器８８の減算出力をスローアップ回路８３よりの分岐出力に加算する加算回路８４とを設けて、該加算回路８８の加算出力をパワー切換用の切換スイッチング回路８３１のオートモードルートを介してパワーアンプ９に入力させることにより、高周波温熱施療器１の高周波出力をパワー設定部８１１による初期設定値に自動的に適合させるフィードバック制御手段を講じている。
【００２８】
斯かる構成の図８、図９に示す実施例４の操作、動作等について説明すると、装置のマニアルモードでの使用に当たっては、まず、モニター付き無線リモートコントローラ１０を操作して、高周波温熱施療器１のコントローラ８において操作回路８１のモード切換部８１３を働かせることによりパワー切換用の切換スイッチング回路８３１とマッチング切換用の切換スイッチング回路８５１とをマニアルモードに設定する（図９の状態）とともに、その操作回路８１のパワー設定部８１１により可変入力回路８２を調整して高周波温熱施療器１に所望の高周波出力が得られるよう初期設定し、かつ、その操作回路８１のマッチング設定部８１４を働かせることによりマッチング切換用の切換スイッチング回路８５１のマニアルモードルートを通じて整合器１４のマッチング切換器１４１を背中、脚、足裏等の人体使用部位に適合させるべく切り換え、次に、選んだ背中、脚、足裏等の人体使用部位の裏面側に帰還電極３を当て込ませるとともに、選んだ人体使用部位の正面側に導電性ジェルを塗布して活性化電極２を押し当て、この態勢で操作回路８１のスタート・ストップスイッチ８１２を働かせることによりオン・オフスイッチング回路８２１をオンさせる（図９の状態）。
【００２９】
このオン・オフスイッチング回路８２１のオンに伴い、可変入力回路８２からの出力がスローアップ回路８２１を経てゆっくり上昇してパワー切換用の切換スイッチング回路８３１のマニアルモードルートを通ってパワーアンプ９に入力するので、パワーアンプ９からはゆっくり上昇する高周波出力が生じ、これが整合器１４にて選んだ人体使用部位のインピーダンスに適合する高周波出力に整合されて、高周波温熱施療器１からの高周波電力が活性化電極２および帰還電極３を通じてその人体使用部位に供給され、人体使用部位の組織が暖められる。このようにして被施療者に供給される高周波電力はゆっくりと上昇して所定値に達するので、被施療者にショックを与えることはない。また、施療中に活性化電極２が人体から離れたときは、活性化電極２と帰還電極３との間のインピーダンスが大きくなるが、このインピーダンスをインピーダンス演算回路８５が高周波電圧検知器１５の検知電圧と高周波電流検知器１６の検知電流とから演算し、かつ、その演算出力信号が所定値上に上昇したところで比較器８６において活性化電極２が人体から離間したことを検出して出力するので、この検出出力により上記オン・オフスイッチング回路８２１が自動的に遮断される。したがって、活性化電極２が人体から離れたときには直ちにパワーアンプ９からの高周波出力をシャットダウンさせることができて安全性を確保できる。施療を中止または終了するときは、操作回路８１のスタート・ストップスイッチ８１２を働かせることによりオン・オフスイッチング回路８２１をオフさせればよい。
【００３０】
装置のオートモードでの使用の場合には、整合器１４のマッチング切換器１４１を背中、脚、足裏等の人体使用部位に適合させて切り換える必要はなく、整合器１４のマッチング切換器１４１は、人体使用部位に対応して自動的に切り換えられる。また、高周波温熱施療器１からの高周波電力は、操作回路８１のパワー設定部８１１による初期設定値にフィードバック制御される。そこで、オートモードでの使用に当たっては、まず、モニター付き無線リモートコントローラ１０を操作することで、操作回路８１のモード切換部８１３によりパワー切換用の切換スイッチング回路８３１とマッチング切換用の切換スイッチング回路８５１とをオートモードに設定し、かつ、操作回路８１のパワー設定部８１１により可変入力回路８２を調整して高周波温熱施療器１に所望の高周波電力の出力が得られるよう初期設定し、次いで、任意の人体使用部位にて裏面側に帰還電極３を当て込ませるとともに、その人体使用部位の正面側に導電性ジェルを塗布して活性化電極２を押し当て、この態勢において操作回路８１のスタート・ストップスイッチ８１２によりオン・オフスイッチング回路８２１をオンさせる。
【００３１】
このオン・オフスイッチング回路８２１のオンに伴って、可変入力回路８２からの出力がスローアップ回路８２１を経てゆっくり上昇し、この出力が加算回路８４を通りパワー切換用の切換スイッチング回路８３１のオートモードルートを経てパワーアンプ９に入力され、該パワーアンプ９からの高周波出力が整合器１４で整合されて活性化電極２および帰還電極３を通じて両電極間に存する人体使用部位に供給され、人体使用部位の組織が暖められることとなるが、この際、パワー演算回路８５で高周波電圧検知器１５の検知電圧と高周波電流検知器１６の検知電流とが掛算されて活性化電極２と帰還電極３との間の人体箇所に供給されている高周波電力の値が検出され、この検出出力が減算器８８でスローアップ回路８３よりの分岐出力から減算され、かつ、該減算出力が先ほどの加算回路８４に送られてスローアップ回路８３からの出力に加算され、結果として高周波温熱施療器１の高周波電力がフィードバック制御されて初期設定値に自動的に適合される。また、この際、整合器１４のマッチング切換器１４１が上述のマニアルモードにおいて説明したインピーダンス演算回路８５の分岐出力によりマッチング切換用の切換スイッチング回路８５１のオートモードルートを介して自動的に切り換えられる。したがって、オートモードの場合には、パワー設定部８１１による初期設定の基に任意の人体使用部位の組織に対し常に的確に安定に温熱加療を施すことができる。
【００３２】
このオートモードの場合でも、スローアップ回路８２１の存在によりパワーアンプ９から高周波出力がゆっくりと上昇し、被施療者にショックを与えることがない点、活性化電極２が人体から離間した際に、オン・オフスイッチング回路８２１の自動的遮断によりパワーアンプ９からの高周波出力が直ちにシャットダウンされて安全性を確保できる点、ならびに、施療を中止または終了するときに、操作回路８１のスタート・ストップスイッチ８１２によりオン・オフスイッチング回路８２１をオフさせればよい点は、上述のマニアルモードの場合と同じであるから説明を省略する。
【００３３】
なお、高周波温熱施療器１にはタイマーを設けて使用時間を制限するようにしてもよい。また、冬季において冷たい電極に過分に電流を流し得るようにして冷たさを低減させるようにしてもよい。
【産業上の利用可能性】
【００３４】
本発明によって、火傷などの障害を全く起こさないで、熟練を要せず、マッサージ効果を併用しつつ、効率よく安全な温熱施療法を実行できる機器を提供できるため、人々の美容・健康保持に貢献できる。
【図面の簡単な説明】
【００３５】
【図１】本発明の高周波温熱施療装置に関する活性化電極の実施例を示し、（１）は回転電極としての長円筒型ローラー状電極に係る構成要領後面図、（２）は同構成要領側面図である。
【図２】本発明の高周波温熱施療装置に関する活性化電極の実施例を示し、回転電極としての短円筒型ローラー状電極に係る構成要領後面図である。
【図３】本発明の高周波温熱施療装置に関する活性化電極の実施例を示し、回転電極としての算盤珠状電極に係る構成要領後面図である。
【図４】本発明の高周波温熱施療装置に関する活性化電極の実施例を示し、複数の回転電極が導電性材料から成るキャタピラー状ベルトにて連結されて該ベルトが形成する面全体を電極としたものに係る構成要領側面図である。
【図５】本発明の高周波温熱施療装置に関する活性化電極の実施例を示し、（１）は回転電極としてのビヤ樽型ローラー状電極に係る構成要領後面図、（２）は同構成要領側面図である。
【図６】本発明の高周波温熱施療装置に関する活性化電極の実施例を示し、（１）は回転電極としての球型ローラー状電極に係る構成要領後面図、（２）は同構成要領側面図である。
【図７】本発明の高周波温熱施療装置に係る実施例を示す電気回路ブロック図である。
【図８】本発明の高周波温熱施療装置に係る実施例を示す他の電気回路ブロック図である。
【図９】図８の要部詳細図である。
【符号の説明】
【００３６】
Ａ  人体
ａ，ｂ  出力端子
１  高周波温熱施療器
２  活性化電極
３  帰還電極
４  給電ケーブル
５  圧力センサー
６  入力調節器
７  出力モニター用音声イヤホーン
８  コントローラ
９  パワーアンプ
１０  モニター付き無線コントローラ
１１  高周波発生源
１２  出力調整部
１３  インターロック制御回路
１４  整合器
１５  高周波電圧検知器
１６  高周波電流検知器
２１  回転電極
２２  キャリア
２３  取手
２４  軸受け
２５  長円筒型ローラー状電極
２６  短円筒型ローラー状電極
２７  算盤珠状電極
２８  ビヤ樽型ローラー状電極
２９  球型ローラー状電極
３１  平板電極
８１  操作回路
８２  可変入力回路
８３  スローアップ回路
８４  加算回路
８５  インピーダンス演算回路
８６  比較器
８７  パワー演算回路
８８  減算器
８９  無線送受信回路
１０１  無線送受信回路
１４１  マッチング切換器
２１１  キャタピラー状ベルト
２４１  進退バネ構造
８１１  パワー設定部
８１２  スタート・ストップスイッチ
８１３  モード切換部
８１４  マッチング設定部
８２１  オン・オフスイッチング回路
８３１  パワー切換用の切換スイッチング回路
８５１  マッチング切換用の切換スイッチング回路
【図１】
2007289562.tif 000003
【図２】
2007289562.tif 000004
【図３】
2007289562.tif 000005
【図４】
2007289562.tif 000006
【図５】
2007289562.tif 000007
【図６】
2007289562.tif 000008
【図７】
2007289562.tif 000009
【図８】
2007289562.tif 000010
【図９】
2007289562.tif 000011